【手続補正書】
【提出日】平成22年12月15日(2010.12.15)
【手続補正１】
【補正対象書類名】特許請求の範囲
【補正対象項目名】全文
【補正方法】変更
【補正の内容】
【特許請求の範囲】
【請求項１】
画像データを送信する送信側装置と、前記画像データを受信する受信側装置とを含む画像処理システムであって、
前記受信側装置は、
前記送信側装置の位置情報を取得する第１の取得手段と、
前記第１の取得手段により取得された位置情報に基づき、前記受信された画像データを用いて第１の演出画像を生成する第１の生成手段と、
前記送信側装置に、表示要求を送信する送信手段と、
前記送信手段により前記表示要求を送信した後、前記第１の生成手段により生成された第１の演出画像を前記受信側装置の表示部に表示する第１の表示制御手段とを備え、
前記送信側装置は、
前記受信側装置の位置情報を取得する第２の取得手段と、
前記第２の取得手段により取得された位置情報に基づき、前記送信された画像データを用いて第２の演出画像を生成する第２の生成手段と、
前記受信側装置から、表示要求を受信する受信手段と、
前記受信手段により前記表示要求を受信した後、前記第２の生成手段により生成された第２の演出画像を前記送信側装置の表示部に表示する第２の表示制御手段とを備えたことを特徴とする画像処理システム。
【請求項２】
画像データを外部装置から受信する受信手段と、
前記外部装置の位置情報を取得する取得手段と、
前記取得手段により取得された位置情報に基づき、前記受信手段により受信した前記画像データを用いて演出画像を生成する生成手段と、
前記外部装置に、表示要求を送信する送信手段と、
前記送信手段により前記表示要求を送信した後、前記生成手段により生成された演出画像を表示部に表示する表示制御手段と、を備えることを特徴とする画像処理装置。
【請求項３】
前記画像データはサムネイル画像データを含むことを特徴とする請求項２記載の画像処理装置。
【請求項４】
前記生成手段は、前記画像データを回転処理または切り抜き処理することにより前記演出画像を生成することを特徴とする請求項２又は３に記載の画像処理装置。
【請求項５】
画像データを外部装置へ送信する送信手段と、
前記外部装置の位置情報を取得する取得手段と、
前記取得手段により取得された位置情報に基づき、前記送信手段により送信される前記画像データを用いて演出画像を生成する生成手段と、
前記外部装置から、表示要求を受信する受信手段と、
前記受信手段により前記表示要求を受信した後、前記生成手段により生成された演出画像を表示部に表示する表示制御手段と、を備えることを特徴とする画像処理装置。
【請求項６】
前記画像データはサムネイル画像データを含むことを特徴とする請求項５記載の画像処理装置。
【請求項７】
前記生成手段は、前記画像データを回転処理または切り抜き処理することにより前記演出画像を生成することを特徴とする請求項５又は６に記載の画像処理装置。
【請求項８】
画像データを外部装置から受信するステップと、
前記外部装置の位置情報を取得するステップと、
前記取得された位置情報に基づき、前記受信した前記画像データを用いて演出画像を生成するステップと、
前記外部装置に、表示要求を送信するステップと、
前記表示要求を送信した後、前記生成された演出画像を表示部に表示するステップと、を備えることを特徴とする画像処理装置の制御方法。
【請求項９】
画像データを外部装置へ送信するステップと、
前記外部装置の位置情報を取得するステップと、
前記取得された位置情報に基づき、前記送信される前記画像データを用いて演出画像を生成するステップと、
前記外部装置から、表示要求を受信するステップと、
前記表示要求を受信した後、前記生成された前記演出画像を表示部に表示するステップと、を備えることを特徴とする画像処理装置の制御方法。
【請求項１０】
画像データを受信するステップと、
前記外部装置の位置情報を取得するステップと、
前記取得された位置情報に基づき、前記受信した前記画像データを用いて演出画像を生成するステップと、
前記外部装置に、表示要求を送信するステップと、
前記表示要求を送信した後、前記生成された演出画像を表示部に表示するステップと、をコンピュータに実行させる、ことを特徴とする画像処理プログラム。
【請求項１１】
画像データを外部装置へ送信するステップと、
前記外部装置の位置情報を取得するステップと、
前記取得された位置情報に基づき、前記送信される前記画像データを用いて演出画像を生成するステップと、
前記外部装置から、表示要求を受信するステップと、
前記表示要求を受信した後、前記生成された前記演出画像を表示部に表示するステップと、をコンピュータに実行させる、ことを特徴とする画像処理プログラム。
【手続補正２】
【補正対象書類名】明細書
【補正対象項目名】０００９
【補正方法】変更
【補正の内容】
【０００９】
上記目的を達成するために、本発明の画像処理システムは、画像データを送信する送信側装置と、前記画像データを受信する受信側装置とを含む画像処理システムであって、前記受信側装置は、前記送信側装置の位置情報を取得する第１の取得手段と、前記第１の取得手段により取得された位置情報に基づき、前記受信された画像データを用いて第１の演出画像を生成する第１の生成手段と、前記送信側装置に、表示要求を送信する送信手段と、前記送信手段により前記表示要求を送信した後、前記第１の生成手段により生成された第１の演出画像を前記受信側装置の表示部に表示する第１の表示制御手段とを備え、前記送信側装置は、前記受信側装置の位置情報を取得する第２の取得手段と、前記第２の取得手段により取得された位置情報に基づき、前記送信された画像データを用いて第２の演出画像を生成する第２の生成手段と、前記受信側装置から、表示要求を受信する受信手段と、前記受信手段により前記表示要求を受信した後、前記第２の生成手段により生成された第２の演出画像を前記送信側装置の表示部に表示する第２の表示制御手段とを備えたことを特徴とする。
【手続補正３】
【補正対象書類名】明細書
【補正対象項目名】００１０
【補正方法】変更
【補正の内容】
【００１０】
本発明の画像処理装置は、画像データを外部装置から受信する受信手段と、前記外部装置の位置情報を取得する取得手段と、前記取得手段により取得された位置情報に基づき、前記受信手段により受信した前記画像データを用いて演出画像を生成する生成手段と、前記外部装置に、表示要求を送信する送信手段と、前記送信手段により前記表示要求を送信した後、前記生成手段により生成された演出画像を表示部に表示する表示制御手段と、を備えることを特徴とする。
【手続補正４】
【補正対象書類名】明細書
【補正対象項目名】００１１
【補正方法】変更
【補正の内容】
【００１１】
本発明の画像処理装置は、画像データを外部装置へ送信する送信手段と、前記外部装置の位置情報を取得する取得手段と、前記取得手段により取得された位置情報に基づき、前記送信手段により送信される前記画像データを用いて演出画像を生成する生成手段と、
前記外部装置から、表示要求を受信する受信手段と、前記受信手段により前記表示要求を受信した後、前記生成手段により生成された演出画像を表示部に表示する表示制御手段と、を備えることを特徴とする。
【手続補正５】
【補正対象書類名】明細書
【補正対象項目名】００１２
【補正方法】変更
【補正の内容】
【００１２】
本発明の画像処理装置の制御方法は、画像データを外部装置から受信するステップと、前記外部装置の位置情報を取得するステップと、前記取得された位置情報に基づき、前記受信した前記画像データを用いて演出画像を生成するステップと、前記外部装置に、表示要求を送信するステップと、前記表示要求を送信した後、前記生成された演出画像を表示部に表示するステップと、を備えることを特徴とする。
【手続補正６】
【補正対象書類名】明細書
【補正対象項目名】００１３
【補正方法】変更
【補正の内容】
【００１３】
本発明の画像処理装置の制御方法は、画像データを外部装置へ送信するステップと、前記外部装置の位置情報を取得するステップと、前記取得された位置情報に基づき、前記送信される前記画像データを用いて演出画像を生成するステップと、前記外部装置から、表示要求を受信するステップと、前記表示要求を受信した後、前記生成された前記演出画像を表示部に表示するステップと、を備えることを特徴とする。
【手続補正７】
【補正対象書類名】明細書
【補正対象項目名】００１４
【補正方法】変更
【補正の内容】
【００１４】
本発明の画像処理プログラムは、画像データを受信するステップと、前記外部装置の位置情報を取得するステップと、前記取得された位置情報に基づき、前記受信した前記画像データを用いて演出画像を生成するステップと、前記外部装置に、表示要求を送信するステップと、前記表示要求を送信した後、前記生成された演出画像を表示部に表示するステップと、をコンピュータに実行させる、ことを特徴とする。
【手続補正８】
【補正対象書類名】明細書
【補正対象項目名】００１５
【補正方法】変更
【補正の内容】
【００１５】
本発明の画像処理プログラムは、画像データを外部装置へ送信するステップと、前記外部装置の位置情報を取得するステップと、前記取得された位置情報に基づき、前記送信される前記画像データを用いて演出画像を生成するステップと、前記外部装置から、表示要求を受信するステップと、前記表示要求を受信した後、前記生成された前記演出画像を表示部に表示するステップと、をコンピュータに実行させる、ことを特徴とする。